(57)【要約】【課題】  プリフェーダ信号をバスへ送る場合にも多彩なパラメータを反映させる。【解決手段】  「経路１」において、選択スイッチＳＷ１で選択されたプリフェーダ信号がＬＥＶＥＬ／ＤＣＡ２に供給され、信号が設定されたレベルに調整されて選択スイッチＳＷ１と連動して切り換えられるスイッチＳＷ３に供給される。ＬＥＶＥＬ／ＤＣＡ２は、入力チャンネルの入力レベルを調整するフェーダであり、ＤＣＡフェーダによっても操作される。スイッチＳＷ３から出力されるプリフェーダ信号はスイッチＯＮ２を介して、センドレベル調整器（ＭＩＸ  ＳＥＮＤ１）へ供給されＭＩＸバス３６へ送られる信号のセンドレベルが調整される。【選択図】  図３
2008252170.tif 000002
【特許請求の範囲】
【請求項１】
ミキシングを行うメインバスとサブバスとを有しているミキシングバスと、
入力信号のそれぞれに対し信号処理を行って前記メインバスと前記サブバスへ選択的に出力する複数の入力チャンネルとを備え、
前記各入力チャンネルにおいて、入力信号にそれぞれ異なる種類の信号処理を行う複数の処理部が前記メインバスへ送るメイン経路に縦続されて設けられており、第１のレベル制御手段を含む前記複数の処理部の出力を選択して前記サブバスへ送る少なくとも１つのサブ経路が設けられ、該サブ経路に当該入力チャンネルにおける入力信号のレベルを調整する第２のレベル制御手段と、前記サブバスへ送る入力信号のセンドレベルを調整するセンドレベル調整手段とが挿入されており、前記第１のレベル制御手段および前記第２のレベル制御手段はグループ化されている前記複数の入力チャンネルの入力信号を一括してレベル制御する操作手段によってもレベルが調整されるようにしたことを特徴とする音響機器。
【発明の詳細な説明】
【技術分野】
【０００１】
この発明は、入力される信号に信号処理を行ってミキシングバスへ出力する入力チャンネルを備える音響機器に関する。
【背景技術】
【０００２】
従来、多数のマイクロホンあるいは電気・電子楽器などから出力されるオーディオ信号のレベルや周波数特性を調整し、ミキシングしていくつかのミキシング・グループにまとめてパワーアンプに送り出すコンサートホール等で使用されるミキサと呼ばれる音響機器が知られている。ミキサを操作するオペレータは、楽器音や歌唱の各オーディオ信号の音量や音色を、ミキサにおける各種パネル操作子を操作することにより、演奏を最もふさわしく表現していると思われる状態に調整している。ミキシング装置は、入力信号系列として複数の入力チャンネルと該入力チャンネルから出力される信号をミキシングするバスと、ミキシングされた信号を出力する出力系列である出力チャンネルを備えている。各入力チャンネルはそれぞれ入力する信号の周波数特性やミキシングレベル等を制御して各ミキシングバスに出力し、各ミキシングバスはそれぞれ入力する信号をミキシングして対応する出力チャンネルに出力する。出力チャンネルからの出力は増幅されてスピーカ等から放音される。
【特許文献１】特開２００７−４３２４９号公報
【発明の開示】
【発明が解決しようとする課題】
【０００３】
従来のミキサにおける入力チャンネルとミキシングを行うバスの構成を図７に示す。
入力チャンネルにおいては、Φ１３０、ＡＴＴ１３１、ＨＰＦ１３２、ＰＥＱ１３３、ＧＡＴＥ１３４、ＣＯＭＰ１３５、ＬＥＶＥＬ／ＤＣＡのそれぞれ異なる信号を処理を行う各信号処理モジュールが縦続して接続されている。Φ１３０は入力信号のフェイズを切り替える処理を行う位相器であり、ＡＴＴ１３１は入力信号のレベルを減衰又は増幅する処理を行うレベル制御器である。ＨＰＦ１３２は特定周波数より低域成分を除去する処理を行うハイパスフィルタであり、ＰＥＱ１３２は入力信号の周波数特性を調整する処理を行うパラメトリックイコライザである。また、ＧＡＴＥ１３４は入力レベルがスレッショルドレベル以下となると出力レベルを急激に小さくする処理を行うゲートであり、ＣＯＭＰ１３５は信号のダイナミックレンジを圧縮する処理を行うコンプレッサである。ＬＥＶＥＬ／ＤＣＡはチャンネルの入力レベルを調整する処理を行うフェーダであり、チャンネルがＤＣＡグループに属している場合はＤＣＡグループに属している複数のチャンネルのレベルを一括操作するＤＣＡフェーダによっても操作される。
【０００４】
ＬＥＶＥＬ／ＤＣＡから出力される入力信号はチャンネルのオン／オフを切り換えるスイッチＯＮ１を介してパンＰＡＮ１に供給され、音像の定位が設定されたＬ、Ｒ信号がメインバスであるステレオバス（ＳＴバス）１３７にそれぞれ供給される。また、第１の選択スイッチＳＷ１からの信号はオン／オフを切り換えるスイッチＯＮ２と、ミキシングバス（ＭＩＸバス）１３６へ送られる信号のセンドレベルを調整する第１のセンドレベル調整器（ＭＩＸ  ＳＥＮＤ１）を介してパンＰＡＮ２に供給され、音像の定位が設定されたＬ、Ｒ信号がサブバスであるＭＩＸバス１３６の内の２本のバスにそれぞれ供給される。第１の選択スイッチＳＷ１は、ＬＥＶＥＬ／ＤＣＡに入る前のプリフェーダ信号（ＰＲＥ）とＬＥＶＥＬ／ＤＣＡを経由したポストフェーダ信号（ＰＯＳＴ）とＨＰＦ１３２の出力との内のいずれかの信号を選択している。さらに、第２の選択スイッチＳＷ２からの信号はオン／オフを切り換えるスイッチＯＮ３と、ＭＩＸバス１３６へ送られる信号のセンドレベルを調整する第２のセンドレベル調整器（ＭＩＸ  ＳＥＮＤ２）を介してパンＰＡＮ３に供給され、音像の定位が設定されたＬ、Ｒ信号がサブバスであるＭＩＸバス１３６の内の２本のバスにそれぞれ供給される。第２の選択スイッチＳＷ２も、ＬＥＶＥＬ／ＤＣＡに入る前のプリフェーダ信号（ＰＲＥ）とＬＥＶＥＬ／ＤＣＡを経由したポストフェーダ信号（ＰＯＳＴ）とＨＰＦ１３２の出力との内のいずれかの信号を選択している。
【０００５】
ここで、選択スイッチＳＷ１，ＳＷ２においてプリフェーダ信号（ＰＲＥ）が選択されてＭＩＸバス１３６へ送られる場合、その信号のレベルはセンドレベル調整器（ＭＩＸ  ＳＥＮＤ１，ＭＩＸ  ＳＥＮＤ２）で調整されることになる。そして、選択スイッチＳＷ１，ＳＷ２においてポストフェーダ信号（ＰＯＳＴ）が選択されてＭＩＸバス１３６へ送られる場合、その信号のレベルはＬＥＶＥＬ／ＤＣＡおよびセンドレベル調整器（ＭＩＸ  ＳＥＮＤ１，ＭＩＸ  ＳＥＮＤ２）で調整されることになる。ＬＥＶＥＬ／ＤＣＡではチャンネルフェーダによりレベルを調整できると共に、ＤＣＡフェーダによりレベルを調整することが可能とされる。このように、ポストフェーダ信号においてはＭＩＸバス１３６へ送る信号のレベルに反映されるパラメータを多彩とすることができるが、プリフェーダ信号においてはＭＩＸバス１３６へ送る信号のレベルに反映されるパラメータがセンドレベル調整器のみとなり、調整できるレベルの自由度がきわめて低くなるという問題点があった。
【０００６】
そこで、本発明はプリフェーダ信号をバスへ送る場合に、多彩なパラメータを反映することができる音響機器を提供することを目的としている。
【課題を解決するための手段】
【０００７】
上記目的を達成するために、本発明の音響機器は、メイン経路に設けられたそれぞれ異なる信号処理を行う複数の処理部の出力を選択してサブバスへ出力する少なくとも１つのサブ経路が設けられ、該サブ経路に当該入力チャンネルにおける入力信号のレベルを調整する第２のレベル制御手段と、サブバスへ送る入力信号のセンドレベルを調整するセンドレベル調整手段とが挿入されており、第２のレベル制御手段はグループ化されている複数の入力チャンネルの入力信号を一括してレベル制御する操作手段によってもレベルが調整されるようにしたことを最も主要な特徴としている。
【発明の効果】
【０００８】
本発明によれば、メイン経路に設けられたそれぞれ異なる信号処理を行う複数の処理部の出力を選択してサブバスへ出力する少なくとも１つのサブ経路が設けられ、該サブ経路に当該入力チャンネルにおける入力信号のレベルを調整する第２のレベル制御手段と、サブバスへ送る入力信号のセンドレベルを調整するセンドレベル調整手段とが挿入されており、第２のレベル制御手段はグループ化されている複数の入力チャンネルの入力信号を一括してレベル制御する操作手段によってもレベルが調整されるようにしたことから、プリフェーダ信号にチャンネルフェーダやＤＣＡフェーダなどの多彩なパラメータを反映させて、より柔軟にサブバスへ送るレベルを調整できるようになる。このように、プリフェーダ信号をサブバスへ送る場合にも多くのパラメータを反映させることができるので、より柔軟なオペレートが可能になり、より多くのユーザの要求にこたえることができるようになる。
【発明を実施するための最良の形態】
【０００９】
本発明の実施例にかかるミキサ等とされる音響機器の概要の構成を示すブロック図を図１に示す。
図１に示す音響機器１は、ミキサとされた際にミキシング処理を行う信号処理回路２と、ミキシング処理の制御を行う処理回路３とを備えている。処理回路３はＣＰＵ（Central Processing Unit）を備え、ミキシング操作を行う操作子６からの操作信号に応じてミキシング処理の制御を行うと共に、各種設定を行える操作画面等を表示器７に表示している。信号処理回路２はＤＳＰ（Digital Signal Processor）を備え、音声信号入力回路４から入力された複数の入力系列のオーディオ信号に処理回路３からの制御信号に応じてミキシング処理を施し、複数の出力系列の音声信号出力回路５に出力している。
【００１０】
次に、本発明にかかる音響機器１の詳細な構成を示すブロック図を図２に示す。
図２において、ＣＰＵ（Central Processing Unit）１０は処理回路３を構成しており、音響機器１の全体の動作を制御すると共に、表示器１６に各種設定を行う操作画面等を表示する描画プログラムや制御用プログラム等の動作ソフトウェアを実行している。ＲＯＭ（Read Only Memory）１１には、ＣＰＵ１０が実行する描画プログラムや制御用プログラム等の動作ソフトウェアが格納されており、ＲＡＭ（Random Access Memory）１２には、ＣＰＵ１０のワークエリアや各種データの記憶エリアが設定されている。このＲＯＭ１１をフラッシュメモリ等の書き換え可能なＲＯＭとすることで、動作ソフトウェアを書き換え可能となり、動作ソフトウェアのバージョンアップを容易に行うことができる。ＤＳＰ１３は信号処理回路２を構成しており、前記したように複数の入力系列のオーディオ信号を信号処理している。
【００１１】
検出回路１５は、パネル操作子等の操作子１４を走査することによって操作子１４のイベントを検出して、イベントのあった操作子１４に対応するイベント出力を出力している。操作子１４には、各チャンネルの入力信号の特性を制御する操作子やシーンの切換を行ったりするための多数の操作子が含まれている。この操作子１４では、入力信号のフェイズ、レベル、周波数等の特性を調整することができる。表示回路１７は液晶表示器（ＬＣＤ）等の表示器１６を備え、この表示器１６に各チャンネルの入力信号に信号処理を施すパラメータ等を操作する際の操作画面等が表示される。各種操作は、ＧＵＩ（Graphical User Interface）を利用した操作画面上においてユーザが設定操作を行えるようにされている。通信インターフェース（Ｉ／Ｆ）１９は、外部機器１８を接続するインターフェースであり、このインタフェースを介して音響機器１と外部機器１８とが論理的に接続される。音声信号入力回路２１は図１に示す音声信号入力回路４に相当し、外部音を取り込むためのマイクなどの入力部２０から音響信号を音響機器１へ取り込んでおり、音声信号出力回路２３は図１に示す音声信号出力回路５に相当し、音響機器１から出力されるミキシング処理等の信号処理された音響信号を外部のスピーカ等の出力部２２へ出力して放音している。入力部２０は、マイク／ラインのオーディオ信号を入力する入力ユニットとすることができ、出力部２２はスピーカ等から放音する出力ユニットとすることができる。これらの各部は通信バス２４に接続されて、通信バス２４を介してデータの授受を行っている。
【００１２】
次に、音響機器１における入力チャンネルとミキシングを行うバスの構成を示すブロック図を図３に示す。
入力チャンネルにおいて、メインバスであるステレオ（ＳＴ）バス３７へ入力信号を送るメイン経路には、Φ３０、ＡＴＴ３１、ＨＰＦ３２、ＰＥＱ３３、ＧＡＴＥ３４、ＣＯＭＰ３５、第１のＬＥＶＥＬ／ＤＣＡ１のそれぞれ異なる信号を処理を行う各信号処理モジュールが縦続して接続されている。ここで、Φ３０は入力信号の正相・逆相のフェイズを切り替える処理を行う位相器であり、ＡＴＴ３１は入力信号のレベルを減衰又は増幅する処理を行うレベル制御器である。ＨＰＦ３２は特定周波数より低域成分を除去する処理を行うハイパスフィルタであり、ＰＥＱ３２は入力信号の周波数特性を調整する処理を行うパラメトリックイコライザであり、例えばHIGH、HIGH MID、LOW MID、LOWの４バンドを備えている。
【００１３】
また、ＧＡＴＥ３４は入力レベルがスレッショルドレベル以下となると出力レベルを急激に小さくするゲート処理、あるいは、信号をダイナミックにゲインダウンするダッキング処理を行うであり、ＣＯＭＰ３５は信号のダイナミックレンジを圧縮するコンプレッサ処理、信号のダイナミックレンジを伸張するエキスパンダ処理、あるいは、信号の最大レベルを設定したレベルに抑えるリミッタ処理を行うコンプレッサである。ＣＯＭＰ３５からの信号が入力される第１のＬＥＶＥＬ／ＤＣＡ１は、入力チャンネルの入力レベルを調整する処理を行うフェーダであり、入力チャンネルがＤＣＡグループに属している場合はＤＣＡグループに属している複数の入力チャンネルのレベルを一括操作するＤＣＡフェーダによっても操作される。第１のＬＥＶＥＬ／ＤＣＡ１から出力される入力信号は入力チャンネルのオン／オフを切り換えるスイッチＯＮ１を介してパンＰＡＮ１に供給され、パンＰＡＮ１により音像の定位が設定されたＬ、Ｒ信号がメインバスであるステレオバス（ＳＴ）３７のＬ、Ｒにそれぞれ供給される。
【００１４】
また、入力チャンネルにおいてはサブバスとされるＭＩＸバス３６へ入力信号を供給するサブ経路として「経路１」と「経路２」とが設けられている。「経路１」においては、第１の選択スイッチＳＷ１で選択された信号が第２のＬＥＶＥＬ／ＤＣＡ２に供給され、信号が設定されたレベルに調整されて第１の選択スイッチＳＷ１と連動して切り換えられる第３の選択スイッチＳＷ３に供給される。第２のＬＥＶＥＬ／ＤＣＡ２は第１のＬＥＶＥＬ／ＤＣＡ１と同様の機能を有しており、入力チャンネルの入力レベルを調整するフェーダであって、入力チャンネルがＤＣＡグループに属している場合はＤＣＡグループに属している複数の入力チャンネルのレベルを一括操作するＤＣＡフェーダによっても操作される。また、連動して切り換えられる第１の選択スイッチＳＷ１および第３の選択スイッチＳＷ３は、第１のＬＥＶＥＬ／ＤＣＡ１に入る前のプリフェーダ信号（ＰＲＥ）と第１のＬＥＶＥＬ／ＤＣＡ１を経由したポストフェーダ信号（ＰＯＳＴ）とＨＰＦ３２の出力との内のいずれかの信号を選択して出力している。
【００１５】
すなわち、第１の選択スイッチＳＷ１および第３の選択スイッチＳＷ３を「ＰＯＳＴ」側に切り換えた際には、第３のスイッチＳＷ３からＬＥＶＥＬ／ＤＣＡ１およびスイッチＯＮ１を経由したポストフェーダ信号が出力される。また、第１の選択スイッチＳＷ１および第３の選択スイッチＳＷ３を「ＰＲＥ」側に切り換えた際には、第１の選択スイッチＳＷ１から第１のＬＥＶＥＬ／ＤＣＡ１に入る前のプリフェーダ信号が出力され、第２のＬＥＶＥＬ／ＤＣＡ２により設定されたレベルに調整されたプリフェーダ信号が第３のスイッチＳＷ３から出力される。さらに、第１の選択スイッチＳＷ１および第３のスイッチＳＷ３を「ＨＰＦ」側に切り換えた際には、第１の選択スイッチＳＷ１からＨＰＦ３２までの信号処理モジュールにより信号処理されている入力信号が出力される。この入力信号は、第２のＬＥＶＥＬ／ＤＣＡ２により設定されたレベルに調整されて第３のスイッチＳＷ３から出力される。このようにして、第３のスイッチＳＷ３から出力される信号は、入力チャンネルのオン／オフをスイッチＯＮ１と連動して切り換えるスイッチＯＮ２を介して、第１のセンドレベル調整器（ＭＩＸ  ＳＥＮＤ１）へ供給されＭＩＸバス３６へ送られる信号のセンドレベルが調整される。第１のセンドレベル調整器（ＭＩＸ  ＳＥＮＤ１）によりセンドレベルが調整された入力信号は、パンＰＡＮ２に供給され音像の定位が設定されたＬ、Ｒ信号がサブバスであるＭＩＸバス３６の内の２本のバスにそれぞれ供給される。
【００１６】
また、「経路２」においては「経路１」と同様の回路構成を経てＭＩＸバス３６へ入力信号が供給されている。すなわち、第２のスイッチＳＷ２および第４のスイッチＳＷ４を「ＰＯＳＴ」側に切り換えた際には、第４のスイッチＳＷ４からＬＥＶＥＬ／ＤＣＡ１およびスイッチＯＮ１を経由したポストフェーダ信号が出力される。また、第２のスイッチＳＷ２および第４のスイッチＳＷ４を「ＰＲＥ」側に切り換えた際には、第２のスイッチＳＷ２から第１のＬＥＶＥＬ／ＤＣＡ１に入る前のプリフェーダ信号が出力され、第３のＬＥＶＥＬ／ＤＣＡ３により設定されたレベルに調整されて第４のスイッチＳＷ４からプリフェーダ信号が出力される。さらに、第２のスイッチＳＷ２および第４のスイッチＳＷ４を「ＨＰＦ」側に切り換えた際には、第２のスイッチＳＷ２からＨＰＦ３２までの信号処理モジュールにより信号処理されている入力信号が出力される。この入力信号は、第３のＬＥＶＥＬ／ＤＣＡ３により設定されたレベルに調整されて第４のスイッチＳＷ４から出力される。このようにして、第４のスイッチＳＷ４から出力される信号は入力チャンネルのオン／オフをスイッチＯＮ１およびスイッチＯＮ２と連動して切り換えるスイッチＯＮ３を介して、第２のセンドレベル調整器（ＭＩＸ  ＳＥＮＤ２）へ供給されＭＩＸバス３６へ送られる信号のセンドレベルが調整される。第２のセンドレベル調整器（ＭＩＸ  ＳＥＮＤ２）によりセンドレベルが調整された入力信号は、パンＰＡＮ３に供給され音像の定位が設定されたＬ、Ｒ信号がサブバスであるＭＩＸバス３６の内の２本のバスにそれぞれ供給される。
【００１７】
ＭＩＸバス３６およびＳＴバス３７には、複数の入力チャンネルから上記したように信号処理が施された入力信号が選択的に供給されてミキシングされる。そして、ＭＩＸバス３６およびＳＴバス３７においてミキシングされたミキシング信号は図示しない複数の出力チャンネルに出力される。各出力チャンネルにおいては、上記した「ＰＥＱ」や「ＣＯＭＰ」および「ＬＥＶＥＬ／ＤＣＡ」等の信号処理モジュールが設けられており、これらの信号処理モジュールによりミキシング信号に信号処理が施される。そして、信号処理が施されて出力チャンネルから出力された出力信号は音声信号出力回路２３から出力されて出力部２２におけるスピーカ等から放音されるようになる。
【００１８】
本発明にかかる音響機器１において、入力チャンネルにおいて選択スイッチＳＷ１，ＳＷ３あるいは選択スイッチＳＷ２，ＳＷ４において「ＰＲＥ」を選択して、プリフェーダ信号（ＰＲＥ）をＭＩＸバス３６へ送るようにした場合、プリフェーダ信号のレベルを第２のＬＥＶＥＬ／ＤＣＡ２あるいは第３のＬＥＶＥＬ／ＤＣＡ３、および、センドレベル調整器（ＭＩＸ  ＳＥＮＤ１，ＭＩＸ  ＳＥＮＤ２）において調整することができるようになる。そして、選択スイッチＳＷ１，ＳＷ３あるいは選択スイッチＳＷ２，ＳＷ４において「ＰＯＳＴ」を選択して、ポストフェーダ信号（ＰＯＳＴ）をＭＩＸバス３６へ送るようにした場合、ポストフェーダ信号のレベルは第１のＬＥＶＥＬ／ＤＣＡ１およびセンドレベル調整器（ＭＩＸ  ＳＥＮＤ１，ＭＩＸ  ＳＥＮＤ２）で調整することができるようになる。第１のＬＥＶＥＬ／ＤＣＡ１ないし第３のＬＥＶＥＬ／ＤＣＡ３ではチャンネルフェーダによりレベルを調整できると共に、ＤＣＡフェーダによりレベルを調整することが可能とされる。このように、本発明の音響機器１においては、ＭＩＸバス３６へ送る信号のレベルに反映されるパラメータを、プリフェーダ信号およびポストフェーダ信号において多彩とすることができるようになる。このように、プリフェーダ信号をＭＩＸバス３６へ送る場合にも多くのパラメータを反映させることができるので、より柔軟なオペレートが可能になり、より多くのユーザの要求にこたえることができるようになる。
なお、「経路１」および「経路２」ではサブ経路毎に任意に選択した信号をＭＩＸバス３６へ送ることができる。また、上記の説明において入力チャンネルをオン／オフするスイッチＯＮ１ないしスイッチＯＮ３は、入力チャンネルがＤＣＡグループに属している場合はＤＣＡグループに属している複数の入力チャンネルのオン／オフを一括操作するＤＣＡスイッチによっても操作される。
【００１９】
ところで、「経路１」における第２のＬＥＶＥＬ／ＤＣＡ２およびスイッチＯＮ２と、「経路２」における第３のＬＥＶＥＬ／ＤＣＡ３およびスイッチＯＮ３を選択的に有効／無効に設定することができる。この場合、第２のＬＥＶＥＬ／ＤＣＡ２および第３のＬＥＶＥＬ／ＤＣＡ３においてはチャンネルフェーダでレベルを調整できると共に、ＤＣＡフェーダによりレベルを調整できることから、それぞれのフェーダ操作を選択的に有効／無効に設定することができる。このような設定を行う表示器１６に表示される設定画面の一例を図４に示す。図４に示す設定画面は、入力チャンネル１においてプリフェーダ信号を送るプロパティ（Ch.01 Pre Fader Send Property）を設定する設定画面とされており、図示する例ではチャンネルフェーダで調整されるレベル「Fader Level」における「Enable」のラジオボタンにマークが付されて有効と設定されていると共に、ＤＣＡフェーダで調整されるレベル「DCA Level」における「Enable」のラジオボタンにもマークが付されて有効と設定されており、スイッチＯＮ２のオン／オフ「DCA On」における「Enable」のラジオボタンにもマークが付されて有効と設定されている。この設定状態は、画面の下部に表示されている「ＯＫ」ボタンを押したときに決定され、「Cancel」ボタンを押したときは設定状態はキャンセルされる。
【００２０】
そして、このような設定は入力チャンネル毎に独立して設定することができ、設定された入力チャンネルの設定一覧のテーブルの例を図５に示す。
図５に示す例では、入力チャンネル１ではFader Level、DCA LevelおよびDCA Onがともに有効（Enable）と設定されており、チャンネルフェーダおよびＤＣＡフェーダによりＭＩＸバス３６へ送るレベルを調整することができると共に、ＤＣＡスイッチの状態がチャンネルスイッチに反映されるように設定されている。また、入力チャンネル２ではFader Levelが無効（Disable）、DCA LevelおよびDCA Onがともに有効（Enable）と設定されており、チャンネルフェーダではＭＩＸバス３６へ送るレベルを調整することができないが、ＤＣＡフェーダによりＭＩＸバス３６へ送るレベルを調整することができると共に、ＤＣＡスイッチの状態がチャンネルスイッチに反映されるように設定されている。さらに、入力チャンネル３ではFader Level、DCA LevelおよびDCA Onがともに無効（Disable）と設定されており、チャンネルフェーダおよびＤＣＡフェーダによりＭＩＸバス３６へ送るレベルを調整することができないと共に、ＤＣＡスイッチの状態がチャンネルスイッチに反映されないように設定されている。さらにまた、入力チャンネル４ではFader Levelが有効（Enable）、DCA LevelおよびDCA Onがともに無効（Disable）と設定されており、チャンネルフェーダによりＭＩＸバス３６へ送るレベルを調整することができるが、ＤＣＡフェーダによりＭＩＸバス３６へ送るレベルを調整することができないと共に、ＤＣＡスイッチの状態がチャンネルスイッチに反映されないように設定されている。
【００２１】
次に、本発明にかかる音響機器１において各チャンネル毎に実行されるセンドレベル決定処理のフローチャートを図６に示す。
定期的に起動されるタイミングに達したとき、あるいは、音響機器１の電源が投入された際にセンドレベル決定処理が起動され、設定されている入力チャンネルのＭＩＸバス３６へのバス送り設定がステップＳ１０にて図５に示す設定一覧のテーブルを参照して取得される。次いで、ステップＳ１１にて当該チャンネルにおけるセンドレベル調整器（ＭＩＸ  ＳＥＮＤ）に設定されているバスセンド（Bus Send）レベルが取得される。この場合、サブ経路が２以上ある場合はサブ経路毎にセンドレベル調整器（ＭＩＸ  ＳＥＮＤ）に設定されているバスセンドレベルが取得される。そして、ステップＳ１２にてプリフェーダ信号（Pre Fader）に当該入力チャンネルにおけるチャンネルフェーダのFader値を反映するか否かがステップＳ１０にて取得されたバス送り設定に基づいて判断される。
【００２２】
ここで、Fader値を反映すると判断された場合は、ステップＳ１３に分岐して当該入力チャンネルにおけるチャンネルフェーダのFader値が取得され、ステップＳ１１にて取得された現在のSend Levelに取得されたFader値がステップＳ１４にて乗算されて新たに決定されたSend Levelとされる。この場合、サブ経路が２以上ある場合はサブ経路毎に取得された現在のSend Levelに取得されたFader値が乗算されてサブ経路別に新たなSend Levelが算出されるようになる。
ステップＳ１４の処理が終了したとき、あるいは、ステップＳ１２にてFader値を反映しないと判断された場合は、ステップＳ１５に進みプリフェーダ信号（Pre Fader）にＤＣＡフェーダのＤＣＡ値を反映するか否かが取得されたバス送り設定に基づいて判断される。ここで、ＤＣＡ値を反映すると判断された場合は、ステップＳ１６に分岐してＤＣＡフェーダのＤＣＡ値が取得され、現在のSend Levelに取得されたＤＣＡ値がステップＳ１７にて乗算されて新たに決定されたSend Levelとされる。この場合、サブ経路が２以上ある場合は経路毎に取得された現在のSend Levelに取得されたＤＣＡ値が乗算されてサブ経路別に新たなSend Levelが算出されるようになる。
【００２３】
そして、ステップＳ１７の処理が終了したとき、あるいは、ステップＳ１５にてＤＣＡ値を反映しないと判断された場合は、ステップＳ１８に進みプリフェーダ信号（Pre Fader）にＤＣＡスイッチのＤＣＡ  Ｏｎ値を反映するか否かが取得されたバス送り設定に基づいて判断される。ここで、ＤＣＡ  Ｏｎ値を反映すると判断された場合は、ステップＳ１９に分岐してＤＣＡ  Ｏｎ値が取得され、現在のSend Levelに取得されたＤＣＡ  Ｏｎ値がステップＳ２０にて乗算されて新たに決定されたSend Levelとされる。この場合、経路が２以上ある場合は経路別に取得された現在のSend Levelに取得されたＤＣＡ  Ｏｎ値が乗算されて新たなSend Levelが経路別に算出されるようになる。なお、ＤＣＡ  Ｏｎ値はＤＣＡスイッチがオンの時に「１」とされ、ＤＣＡスイッチがオフの時に「０」とされる。ここで、ステップＳ２０の処理が終了したとき、あるいは、ステップＳ１８にてＤＣＡ  Ｏｎ値を反映しないと判断された場合はステップＳ２１に進み、以上の処理により決定されたSend Levelが設定されている入力チャンネルのＭＩＸバス３６へのバスセンド（Bus Send）レベルとして設定され、センドレベル決定処理は終了する。このようなセンドレベル決定処理は、使用するよう設定されている入力チャンネルの全てについて入力チャンネル毎に実行される。
【産業上の利用可能性】
【００２４】
以上説明した本発明において、音響機器をミキサとしたがこれに限るものではなく、オーディオ信号を扱う汎用の音響機器に適用することができる。
また、入力チャンネルにおいてはＭＩＸバス３６へ入力信号を供給する経路として「経路１」と「経路２」との２つの経路が設けられているとしたが、これに限ることはなく３つ以上の経路を入力チャンネルに設けるようにしてもよい。
【図面の簡単な説明】
【００２５】
【図１】本発明の実施例にかかる音響機器の概要の構成を示すブロック図である。
【図２】本発明の実施例にかかる音響機器の詳細な構成を示すブロック図である。
【図３】本発明の実施例にかかる音響機器において、音響機器における入力チャンネルとミキシングを行うバスの構成を示すブロック図である。
【図４】本発明の実施例にかかる音響機器において、信号処理の設定を行う設定画面の一例を示す図である。
【図５】本発明の実施例にかかる音響機器において、設定された入力チャンネルの設定一覧のテーブルの例を示す図である。
【図６】本発明の実施例にかかる音響機器において各チャンネル毎に実行されるセンドレベル決定処理のフローチャートである。
【図７】従来のミキサにおける入力チャンネルとミキシングを行うバスの構成を示すブロック図である。
【符号の説明】
【００２６】
１  音響機器、２  信号処理回路、３  処理回路、４  音声信号入力回路、５  音声信号出力回路、６  操作子、７  表示器、１０  ＣＰＵ、１１  ＲＯＭ、１２  ＲＡＭ、１３  ＤＳＰ、１４  操作子、１５  検出回路、１６  表示器、１７  表示回路、１８  外部機器、１９  通信Ｉ／Ｆ、２０  入力部、２１  音声信号入力回路、２２  出力部、２３  音声信号出力回路、２４  通信バス、３０  Φ（フェイズ）、３１  ＡＴＴ、３２  ＨＰＦ、３３  ＰＥＱ、３４  ＧＡＴＥ、３５  ＣＯＭＰ、３６  ＭＩＸバス、３７  ＳＴバス、１３０  Φ（フェイズ）、１３１  ＡＴＴ、１３２  ＨＰＦ、１３３  ＰＥＱ、１３４  ＧＡＴＥ、１３５  ＣＯＭＰ、１３６  ＭＩＸバス、１３７  ＳＴバス、ＬＥＶＥＬ／ＤＣＡ〜ＬＥＶＥＬ／ＤＣＡ３  フェーダ、ＭＩＸ  ＳＥＮＤ１，ＭＩＸ  ＳＥＮＤ２  センドレベル調整器、ＯＮ１〜ＯＮ３  スイッチ、ＰＡＮ１〜ＰＡＮ３  パン、ＳＷ１〜ＳＷ４  選択スイッチ
【図１】
2008252170.tif 000003
【図２】
2008252170.tif 000004
【図３】
2008252170.tif 000005
【図４】
2008252170.tif 000006
【図５】
2008252170.tif 000007
【図６】
2008252170.tif 000008
【図７】
2008252170.tif 000009